(57)【要約】【課題】レトルトパウチは、底が面形状になっていないものが多く、それらは自立しないため、封入された食品を一回で使い切らなければならない。また、レトルトパウチに封入される食品は、半液状のものが多く、内部に残留する食品を全て排出するのは難しい。  本発明は、レトルトパウチを自立させると同時に、内部に残留する食品を絞り出し、排出することが出来るレトルト用ソースポットを提供する。【解決手段】二つの縦長コの字片を向かい合わせに組み合わせたような枠台と、枠台に囲まれるように設置される２つのローラーと、枠台の部分的な延長部に設置される立ち上がり板及びそこから立てかけ板支えアームを介した立てかけ板を設けたことを特徴とするレトルト用ソースポット。【選択図】図１
2015105144.tif 000002
【特許請求の範囲】
【請求項１】
主要に、厚みと幅を持った二つの縦長コの字片を向かい合わせに組み合わせたような枠台と、枠台に囲まれるように設置される２つのローラーと、枠台の部分的な延長部に設置される立ち上がり板及びそこから立てかけ板支えアームを介して設置される立てかけ板とから構成されるが、枠台を成す２つのコの字片、即ち枠台コの字片Ａ及び枠台コの字片Ｂは、短手の一方側において枠台結合軸部に軸止めされ、Ｖ字型ハサミ式に水平方向へ開閉可能な形で結合され、この２つの枠台コの字片の各々の内側に、長手辺に平行に、短手側に軸止めされたローラーが設置され、２つのコの字片が閉じられている時は、これら２つのローラーは相互に平行に密着する形となり、コの字片がＶ字形に開く時には、ローラー相互間もＶ字形に開くのであって、結合されている２つの枠台コの字片の、枠台結合軸部側とは反対側の短手それぞれにおいて、一方の枠台コの字片Ａにフック部、他方の枠台コの字片Ｂにフック留め部が形成され、非使用時にはローラー相互は密着された状態で、枠台は閉じられフック留めされて収納されるのであって、枠台コの字片Ａに取付けられたローラーをローラーＡとし、枠台コの字片Ｂに取付けられたローラーをローラーＢと仮定した場合、枠台コの字片Ｂにおいて、枠台結合軸部側の短手は、枠台コの字片Ａと反対方向へ、およそ２倍ほど延長され、且つ長手の一部域と合流しつつ少し広幅に形成されて、立ち上がり板取り付け部を成すのであり、立ち上がり板取り付け部のフック留め部側の壁面中央部に、食い込むように、上面から底面までくり抜いた溝、即ち立ち上がり板取付け凹部が穿設され、この立ち上がり板取付け凹部に、その短手辺の一方の中央部を嵌め込むように、立ち上がり板が軸止めされ、立ち上がり板取付け部及び枠台コの字片Ｂの長手と水平的な状態にある非使用時の位置から、垂直的に立ち上がっている状態の使用時の位置までの領域を、自由に回動可能な形で設置されるのであって、この立ち上がり板は、幅は立ち上がり板取付け部及び枠台に準じ、長さは、非使用時の状態を仮定した場合において、枠台コの字片に平行的に沿いつつ、フック留め部側へおよそ真ん中辺りまで伸びるのであり、この長手方向の中央線上にあって、一方の短手辺中央部には、立ち上がり板取付け凹部に嵌まり込む立ち上がり板取付け凸部が形設されており、他方の短手辺、フック留め部側壁面中央部には、食い込むように、上面から底面までくり抜いた、立てかけ板支えアーム取付け凹部穿設され、この立てかけ板支えアーム取付け凹部に、その短手辺の一方の中央部を嵌め込むように、立てかけ板支えアームが軸止めされ、立ち上がり板と同様に、自由に回動可能な形で設置されるが、この立てかけ板支えアームの先端部は、球形状に形成され、それに照応する角度調整軸球取付け凹部に嵌め込まれる角度調整軸球となるのであり、角度調整軸球取付け凹部は、立てかけ板の一方の短手辺沿いの中央部に、上面から底面手前まで、壁面中央部から食い込む形でくり抜いた溝状に穿設され、ここに角度調整軸球を咥える様に嵌め込む形となり、立てかけ板は、ここを基点として枠台コの字片の長手辺外壁に沿いつつ伸びて、壁端を揃え、且つ縦になったり横になったり自在に回動できるということを特徴とするレトルト用ソースポット。
【発明の詳細な説明】
【技術分野】
【０００１】  本発明は、食品容器としてのレトルトパウチを自立させ、且つ内部の食品を絞り出す装置であるレトルト用ソースポットに関するものである。
【背景技術】
【０００２】  レトルトパウチは、底が面形状になっていないものが多く、それらは自立することが出来ない。
尚、一辺に蒸気抜き予定部が形成されたレトルトパウチを電子レンジ内に立て置き状態で載置する電子レンジ用包装体で、レトルトパウチの片面に板状部材が貼着されており、該板状部材は、これを折曲して組み立てることで、蒸気抜き予定部を上にしてレトルトパウチを立て置き状態で載置する衝立具を構成することを特徴とする電子レンジ用包装体が知られている（特許文献１参照）。
【先行技術文献】
【特許文献】
【０００３】
【特許文献１】特開２００３−２９２０６１
【発明の概要】
【発明が解決しようとする課題】
【０００４】  レトルトパウチは、底が面形状になっていないものが多く、それらは自立しないため、封入された食品を一回で使い切らなければならない。しかし、ご飯などにかける食品の場合、封入された食品を数回に分けて使いたいニーズが多く、その場合はレトルトパウチ自体を自立して保存することが望ましい。また、レトルトパウチに封入される食品は、半液状のものが多く、内部に残留する食品を全て排出するのは難しい。
レトルトパウチを立て置き状態で載置する衝立具を構成することを特徴とする電子レンジ用包装体は、電子レンジ内で内容物が零れ出すことなく加熱し得るレトルト食品等の電子レンジ用の包装体であって、実際に食する時点での使用や、内部に残った食品を絞り出すことは出来ない。
本発明は、以上の問題点を解決するためになされたものである。
【課題を解決するための手段】
【０００５】  主要に、厚みと幅を持った二つの縦長コの字片を向かい合わせに組み合わせたような枠台と、枠台に囲まれるように設置される２つのローラーと、枠台の部分的な延長部に設置される立ち上がり板及びそこから立てかけ板支えアームを介して設置される立てかけ板とから構成される。
枠台を成す２つのコの字片、即ち枠台コの字片Ａ及び枠台コの字片Ｂは、短手の一方側において枠台結合軸部に軸止めされ、Ｖ字型ハサミ式に水平方向へ開閉可能な形で結合される。この２つの枠台コの字片の各々の内側に、長手辺に平行に、短手側に軸止めされたローラーが設置され、２つのコの字片が閉じられている時は、これら２つのローラーは相互に平行に密着する形となり、コの字片がＶ字形に開く時には、ローラー相互間もＶ字形に開く。
結合されている２つの枠台コの字片の、枠台結合軸部側とは反対側の短手それぞれにおいて、一方の枠台コの字片Ａにフック部、他方の枠台コの字片Ｂにフック留め部が形成され、非使用時にはローラー相互は密着された状態で、枠台は閉じられフック留めされて収納される。
枠台コの字片Ａに取付けられたローラーをローラーＡとし、枠台コの字片Ｂに取付けられたローラーをローラーＢと仮定する。枠台コの字片Ｂにおいて、枠台結合軸部側の短手は、枠台コの字片Ａと反対方向へおよそ２倍ほど延長され、且つ長手辺の一部域と合流しつつ少し広幅に形成されて、立ち上がり板取り付け部を成す。
立ち上がり板取付け部のフック留め部側の壁面中央部に、食い込むように、上面から底面までくり抜いた溝、即ち立ち上がり板取付け凹部が穿設される。この立ち上がり板取付け凹部に、その短手辺の一方の中央部を嵌め込むように、立ち上がり板が軸止めされ、立ち上がり板取付け部及び枠台コの字片Ｂの長手と水平的な状態にある非使用時の位置から、垂直的に立ち上がっている状態の使用時の位置までの領域を、自由に回動可能な形で設置される。
この立ち上がり板は、幅は立ち上がり板取付け部及び枠台に準ずるのであるが、長さは、非使用時の状態を仮定した場合において、枠台コの字片に平行的に沿いつつ、フック留め部側へおよそ真ん中辺りまで伸びる。この長手方向の中央線上にあって、一方の短手辺中央部には、立ち上がり板取付け凹部に嵌まり込む立ち上がり板取付け凸部が形設されており、他方の短手辺、フック留め部側壁面中央部には、食い込むように、上面から底面までくり抜いた、立てかけ板支えアーム取付け凹部穿設され、この立てかけ板支えアーム取付け凹部に、その短手辺の一方の中央部を嵌め込むように、立てかけ板支えアームが軸止めされ、立ち上がり板と同様に、自由に回動可能な形で設置される。
この立てかけ板支えアームの先端部は、球形状に形成され、それに照応する角度調整軸球取付け凹部に嵌め込まれる角度調整軸球となる。
角度調整軸球取付け凹部は、立てかけ板の一方の短手辺沿いの中央部に、上面から底面手前まで、壁面中央部から食い込む形でくり抜いた溝状に穿設され、ここに角度調整軸球を咥える様に嵌め込む形となり、立てかけ板は、ここを基点として枠台コの字片の長手辺外壁に沿いつつ伸びて、壁端を揃え、且つ縦になったり横になったり自在に回動できる。
以上の構成よりなるレトルト用ソースポット。
【発明の効果】
【０００６】  底が面形状になっていないレトルトパウチは自立出来ないが、レトルトパウチの下辺部分を、本発明のローラーＡ、ローラーＢの間に挟み固定し、立ち上がり板を垂直に立て、立てかけ板支えアームを水平に倒し、さらに立てかけ板の角度を調整し、レトルトパウチが倒れない様に立てかけ板に立てかけることで、本発明は、口の開いたレトルトパウチを自立させる事が出来、且つ、挟んだ状態のローラーＡ、ローラーＢの間をローラーを回転させながらレトルトパウチを通してゆくことで、レトルトパウチ内にこびりつき残留してしまいがちな食品を絞り出し排出することも出来る。
【図面の簡単な説明】
【０００７】
【図１】  本発明通常時図面
【図２】  本発明ローラー開放時図面
【図３】  本発明立てかけ板使用時図面
【発明を実施するための形態】
【０００８】  以下、本発明の実施の形態を説明する。
主要に、厚みと幅を持った二つの縦長コの字片を向かい合わせに組み合わせたような枠台と、枠台に囲まれる様に設置される２つのローラーと、枠台の部分的な延長部に設置される立ち上がり板（１）及びそこから立てかけ板支えアーム（２）を介して設置される立てかけ板（３）とから構成される。
枠台を成す２つのコの字片、即ち枠台コの字片Ａ（４）及び枠台コの字片Ｂ（５）は、短手の一方側において枠台結合軸部（６）に軸止めされ、Ｖ字型ハサミ式に水平方向へ開閉可能な形で結合される。この２つの枠台コの字片の各々の内側に、長手辺に平行に、短手側に軸止めされたローラーが設置され、２つのコの字片が閉じられている時は、これら２つのローラーは相互に平行に密着する形となり、コの字片がＶ字形に開く時には、ローラー相互間もＶ字形に開く。
結合されている２つの枠台コの字片の、枠台結合軸部側（６）とは反対側の短手それぞれにおいて、一方の枠台コの字片Ａ（４）にフック部（７）、他方の枠台コの字片Ｂ（５）にフック留め部（８）が形成され、非使用時にはローラー相互は密着された状態で、枠台は閉じられフック留めされて収納される。
枠台コの字片Ａ（４）に取付けられたローラーをローラーＡ（９）とし、枠台コの字片Ｂ（５）に取付けられたローラーをローラーＢ（１０）と仮定する。枠台コの字片Ｂ（５）において、枠台結合軸部（６）側の短手は、枠台コの字片Ａ（４）と反対方向へおよそ２倍ほど延長され、且つ長手辺の一部域と合流しつつ少し広幅に形成されて、立ち上がり板取付け部（１１）を成す。
立ち上がり板取付け部（１１）のフック留め部（８）側の壁面中央部に、食い込むように、上面から底面までくり抜いた溝、即ち立ち上がり板取付け凹部（１２）が穿設される。この立ち上がり板取付け凹部（１２）に、その短手辺の一方の中央部を嵌め込むように、立ち上がり板（１）が軸止めされ、立ち上がり板取付け部（１１）及び枠台コの字片Ｂ（５）の長手辺と水平的な状態にある非使用時の位置から、垂直的に立ち上がっている状態の使用時の位置までの領域を、自由に回動可能な形で設置される。
この立ち上がり板（１）は、幅は立ち上がり板取付け部（１１）及び枠台に準ずるのであるが、長さは、非使用時の状態を仮定した場合において、枠台コの字片に平行的に沿いつつ、フック留め部（８）側へおよそ真ん中辺りまで伸びる。この長手方向の中央線上にあって、一方の短手辺中央部には、立ち上がり板取付け凹部（１２）に嵌まり込む立ち上がり板取付け凸部（１３）が形設されており、他方の短手辺、フック留め部（８）側壁面中央部には、食い込むように、上面から底面までくり抜いた、立てかけ板支えアーム取付け凹部（１４）が穿設される。この立てかけ板支えアーム取付け凹部（１４）に、その短手辺の一方の中央部を嵌め込むように、立てかけ板支えアーム（２）が軸止めされ、立ち上がり板（１）と同様に、自由に回動可能な形で設置される。
この立てかけ板支えアーム（２）の先端部は、球形状に形成され、それに照応する角度調整軸球取付け凹部（１５）に嵌め込まれる角度調整軸球（１６）となる。
角度調整軸球取付け凹部（１５）は、立てかけ板（３）の一方の短手辺沿いの中央部に、上面から底面手前まで、壁面中央部から食い込む形でくり抜いた溝状に穿設され、ここに角度調整軸球（１６）を咥える様に嵌め込む形となり、立てかけ板（３）は、ここを基点として枠台コの字片の長手辺外壁に沿いつつ伸びて、壁端を揃え、且つ縦になったり横になったり自在に回動できる。
本発明は、以上のような構成である。
本発明を使用する時は、まず、フック部（７）とフック留め部（８）をはずし、枠台コの字片Ａ（４）及びローラーＡ（９）をＶ字形に開く。食品の入ったレトルトパウチの下辺部分をローラーＢ（１０）の長さの中に合わせるようにして、再び枠台コの字片Ａ（４）を閉じ、フック部（７）をフック留め部（８）にフック留めする。この時、レトルトパウチは、ローラーＡ（９）とローラーＢ（１０）が密着した部分より、下辺部分が１．５ｃｍ程度余る様に調整して閉じる様にする。
下辺部分が固定されたレトルトパウチの上辺部分を切り取り、中身の食品を任意量使用してゆく。この時、レトルトパウチ内に余った食品を流失しない様にするため、立ち上がり板（１）を垂直に立て、次に立てかけ板支えアーム（２）を水平に倒し、さらに立てかけ板（３）の角度を調整し、レトルトパウチが倒れない様に立てかけ板（３）に立てかける。
任意量ずつ使用し、概ね食品を使い切った後は、レトルトパウチの切り取った上辺部分が下になる様に、本発明を持ち上げ逆さまにする。次にレトルトパウチ下辺部分の１．５ｃｍ程度余らせたおいた部分を掴み、本発明を保持しながら、レトルトパウチを上方に引き上げてゆく。密着したローラーＡ、ローラーＢは回転しながら、レトルトパウチ内にこびりついた食材を押し出し、排出することが出来る。
【符号の説明】
【０００９】１  立ち上がり板、２  立てかけ板支えアーム、３  立てかけ板、４  枠台コの字片Ａ、
５  枠台コの字片Ｂ、６  枠台結合軸部、７  フック部、８  フック留め部、
９  ローラーＡ、１０  ローラーＢ、１１  立ち上がり板取付け部、
１２  立ち上がり板取付け凹部、１３  立ち上がり板取付け凸部、
１４  立てかけ板アーム取付け凹部、１５  角度調整軸球取付け凹部、
１６  角度調整軸球
【図１】
2015105144.tif 000003
【図２】
2015105144.tif 000004
【図３】
2015105144.tif 000005